(57)【要約】【課題】入力表示部の操作性を向上させた操作装置及び給湯システムを提供すること。【解決手段】操作装置は、タッチパネル２２と制御部とを備える。タッチパネル２２は、判定画像（メータＡ２０）で区分される第一表示領域Ａ１０及び第二表示領域Ａ３０を含む表示部２２１と、第一表示領域Ａ１０に対応する第一入力領域Ｂ１０及び第二表示領域Ａ３０に対応する第二入力領域Ｂ３０を含む入力部２２１と、を有する。制御部は、第一入力領域Ｂ１０に対する入力を検出し、入力の位置が第二入力領域Ｂ３０に移動したことを、予め定めた判定方法により検出すると、出力処理を行う。【選択図】  図２
2018173708.tif 000002
【特許請求の範囲】
【請求項１】
判定画像で区分される第一表示領域及び第二表示領域を含む表示部と、前記第一表示領域に対応する第一入力領域及び前記第二表示領域に対応する第二入力領域を含む入力部と、を有するタッチパネルと、
制御部と、
を備え、
前記制御部は、
前記第一入力領域に対する入力を検出し、
前記入力の位置が前記第二入力領域に移動したことを、予め定めた判定方法により検出すると、出力処理を行う、
ことを特徴とする操作装置。
【請求項２】
前記制御部は、
前記判定方法が第一判定方法の場合、前記第二入力領域において前記入力を検出した後、前記入力を検出しなくなると前記出力処理を行い、
前記判定方法が第二判定方法の場合、前記第二入力領域において前記入力を検出すると前記出力処理を行う、
ことを特徴とする請求項１に記載の操作装置。
【請求項３】
前記判定画像は閉領域を有し、
前記第一表示領域は前記閉領域に形成されるとともに前記第二表示領域は前記判定画像の外領域に形成され、又は、前記第一表示領域は前記判定画像の外領域に形成されるとともに前記第二表示領域は前記閉領域に形成される、
ことを特徴とする請求項１又は請求項２に記載の操作装置。
【請求項４】
前記判定画像は棒状の図形であり、
前記第一表示領域は前記図形の一側方側に形成され、
前記第二表示領域は前記図形の他側方側に形成される、
ことを特徴とする請求項１又は請求項２に記載の操作装置。
【請求項５】
前記出力処理は、前記表示部の表示切換処理であることを特徴とする請求項１乃至請求項４の何れかに記載の操作装置。
【請求項６】
前記出力処理は、前記表示部の一部に表示させたＰｉｎＰ（Ｐｉｃｔｕｒｅ  ｉｎ  Ｐｉｃｔｕｒｅ）表示枠に、給湯装置に関する情報を表示させる処理であることを特徴とする請求項１乃至請求項５の何れかに記載の操作装置。
【請求項７】
請求項１乃至請求項６の何れかに記載の操作装置と、
前記操作装置に操作される給湯装置と、
を備えることを特徴とする給湯システム。
【請求項８】
前記第一表示領域には、前記給湯装置の設定温度が表示され、
前記判定画像は、前記第一表示領域の周囲に形成される前記設定温度を表示する円環状のメータである、
ことを特徴とする請求項７に記載の給湯システム。
【発明の詳細な説明】
【技術分野】
【０００１】
本発明は、操作装置及び給湯システムに関する。
【背景技術】
【０００２】
従来、操作装置の表示画面において、装置の説明画面等の画面へ切り換える方法として、表示パネルとは別の物理スイッチを設けるか（特許文献１）、タッチパネルの操作画面上にボタン画像を描画して、使用者による入力を検出させる方法があった（特許文献２）。
【先行技術文献】
【特許文献】
【０００３】
【特許文献１】特開２０１４−１６４４１０号公報
【特許文献２】特開２０１６−６６３０４号公報
【発明の概要】
【発明が解決しようとする課題】
【０００４】
特許文献１のように、画面を呼び出すために物理スイッチを設ける方法の場合、装置上にそのスイッチを取り付けるための場所が必要になることやスイッチを追加するために製造コストが増加するという課題がある。
【０００５】
また、特許文献２のように、操作画面上にボタン画像を描画させてタッチを検出させると、タッチのしやすいボタン画像を表示するためにある程度の大きさの領域が必要となり、画面デザインを制限してしまう。画面デザインの制限を防止するために、ボタン画像を小さくしたりボタン画像を画面の隅部に配置すると、タッチする位置がそのボタン画像からずれ易くなって誤操作を発生させてしまい、利便性が損なわれることが想定される。
【０００６】
一方で、操作性を優先するために、ボタン画像の配置間隔を広げたりボタン画像を大きくすると、表示画面全体のサイズを大きくする必要が生じ、製造コストが増加してしまう。
【０００７】
本発明は、以上の点に鑑み、タッチパネルの操作性を向上させた操作装置及び給湯システムを提供することを目的とする。
【課題を解決するための手段】
【０００８】
本発明の操作装置は、判定画像で区分される第一表示領域及び第二表示領域を含む表示部と、前記第一表示領域に対応する第一入力領域及び前記第二表示領域に対応する第二入力領域を含む入力部と、を有するタッチパネルと、制御部と、を備え、前記制御部は、前記第一入力領域に対する入力を検出し、前記入力の位置が前記第二入力領域に移動したことを、予め定めた判定方法により検出すると、出力処理を行う。
【０００９】
本発明の給湯システムは、上述の操作装置と、前記操作装置に操作される給湯装置と、を備える。
【発明の効果】
【００１０】
本発明によると、タッチパネルの操作性を向上させた操作装置及び給湯システムを提供することができる。
【図面の簡単な説明】
【００１１】
【図１】本発明の実施形態に係る給湯システムを示す図である。
【図２】本発明の実施形態に係るタッチパネルの正面模式図である。
【図３】本発明の実施形態に係るタッチパネルの側方から見た使用状態の模式図を示し、（ａ）は図２のタッチパネルを使用した例であり、（ｂ）は図２のタッチパネルの変形例を使用した例である。
【図４】本発明の実施形態に係る操作装置のフローチャート図である。
【図５】本発明の実施形態に係る入力表示部の正面模式図であり、（ａ）〜（ｄ）の表示画像毎に対応した入力方法の例を示している。
【発明を実施するための形態】
【００１２】
以下、本発明の実施形態について図を用いて説明する。図１は、給湯システム１を示す図である。給湯システム１は、操作装置２及び給湯装置３を備える。給湯システム１は、操作装置２と給湯装置３とを異なる装置として別体に設けてもよいし、操作装置２と給湯装置３とを一つの筺体に含める等して一体に設けてもよい。
【００１３】
操作装置２は、給湯装置３の操作を行う装置である。操作装置２は、制御部２１、タッチパネル２２、記憶部２３、通信インタフェース２４を備える。制御部２１は、ＣＰＵ（Ｃｅｎｔｒａｌ  Ｐｒｏｃｅｓｓｉｎｇ  Ｕｎｉｔ）２１１、表示コントローラ２１２、入力コントローラ２１３を含む。ＣＰＵ２１１は、汎用のマイクロプロセッサ等を利用した主制御手段である。なお、ＣＰＵ２１１、表示コントローラ２１２及び入力コントローラ２１３は、一つの素子や基板として一体に構成してもよい。
【００１４】
タッチパネル２２は、静電容量式のタッチパネルである。タッチパネル２２は、表示部２２１と、この表示部２２１の裏面側に重畳して配置された入力部２２２とを備える（図３（ａ）も参照）。表示部２２１は、ＣＰＵ２１１と、表示コントローラ２１２を介して接続される。表示部２２１には、操作装置２や給湯装置３の操作画面や稼動状態等が表示される。入力部２２２は、ＣＰＵ２１１と、入力コントローラ２１３を介して接続される。入力コントローラ２１３は、入力部２２２に対する使用者のタッチ操作を検出する。
【００１５】
記憶部２３は、制御プログラム、操作装置２や給湯装置３の状態、図４のステップＳ１０８で後述する参照画像、及び参照画像に切り換える操作の判定方法（図４で後述する第一判定方法又は第二判定方法）等を記憶する。また、通信インタフェース２４は、給湯装置３と接続されてデータの送受信を行う。
【００１６】
給湯装置３は、給湯装置３に供給される水を加熱し、外部の装置等に温水を提供する装置である。給湯装置３は、コントローラ３１及び熱交換部３２を備える。コントローラ３１は、熱交換部３２に供給される水の加熱制御を行ったり、熱交換部３２で加熱された水の温度の検出等を行う。コントローラ３１は、操作装置２の通信インタフェース２４と接続されて、操作装置２とデータの送受信を行う。コントローラ３１は、通信インタフェース２４に対して給湯装置３で加熱された水の温度や制御状態等の情報を送信する。
【００１７】
図２は、タッチパネル２２の正面模式図である。また、図３（ａ）は、図２のタッチパネル２２の側方から見た使用状態の模式図である。タッチパネル２２は、表示部２２１と入力部２２２を有する。図３（ａ）に示すよう、タッチパネル２２の入力部２２２は、表示部２２１の表示面とは反対側の裏面側に重畳して配置される。表示部２２１には、液晶ディスプレイ、有機ＥＬディスプレイ等を用いることができる。入力部２２２は、静電容量式の入力検出パネルである。本実施形態では、入力コントローラ２１３は、使用者が指Ｆ等をタッチパネル２２に対して近接又は接触させることにより、入力部２２２に対する入力を検出する。
【００１８】
図２に戻り、タッチパネル２２の表示部２２１には、画像Ａが描画されている。本図の画像Ａには、文字及び数字により熱交換部３２で加熱される水の設定温度の情報を表示する第一表示領域Ａ１０と、実線で示す円環状の図形で表されるメータＡ２０とを含む。第一表示領域Ａ１０は、メータＡ２０の内側の閉領域に形成される。
【００１９】
メータＡ２０は、第一表示領域Ａ１０が示す設定温度の値を図形的に表示する。メータＡ２０は、熱交換部３２の現在の設定温度を示す点灯領域Ａ２１を有する。点灯領域Ａ２１は、熱交換部３２の設定温度の値に対応する周方向の長さで色を変化させる。よって、使用者は熱交換部３２の設定温度を容易に把握することができる。なお、第一表示領域Ａ１０やメータＡ２０は、操作装置２の機能や利便性に応じて、適宜の図形、文字等の画像により表示することができる。本図の第一表示領域Ａ１０の値及び点灯領域Ａ２１の長さは、熱交換部３２で加熱される水の設定温度が３９°Ｃであることを示している。
【００２０】
図２の表示部２２１では、メータＡ２０の外側の領域を第二表示領域Ａ３０としている。第二表示領域Ａ３０には画像の表示はされないが、操作装置２の機能や利便性に応じて、適宜の図形、文字等の画像を表示させることができる。このように、メータＡ２０は、第一入力領域Ｂ１０のある第一表示領域Ａ１０と、第二入力領域Ｂ３０のある第二表示領域Ａ３０とを使用者が識別できるように区分する、判定画像として使用される。
【００２１】
入力部２２２には、使用者の指Ｆからの入力を検出する入力領域Ｂが形成される。入力領域Ｂは、表示部２２１に表示される画像Ａ等の領域に対応した固定セグメントパターンにより形成される。
【００２２】
入力領域Ｂは、中央の略円形の第一入力領域Ｂ１０と、第二入力領域Ｂ３０とを含む。第一入力領域Ｂ１０は、第一表示領域Ａ１０の位置に対応して重畳されるように配置される。
【００２３】
第二入力領域Ｂ３０は、第二表示領域Ａ３０に重畳されるようにメータＡ２０の外側の全面領域に設けられる。なお、第二入力領域Ｂ３０は、メータＡ２０の外側の領域の一部に設けてもよい。
【００２４】
図３（ｂ）は、タッチパネル２２Ａを側方から見た模式図である。操作装置２は、図３（ａ）のタッチパネル２２の代わりに、抵抗被膜型のタッチセンサを備えたタッチパネル２２Ａを用いてもよい。タッチパネル２２Ａは、表示部２２１Ａの表示面側（図の上方側）に入力部２２２Ａを有する。入力部２２２Ａは、使用者が表示部２２１Ａの表示内容を視認できるように透光性を有する。図３（ｂ）の表示部２２１Ａ及び入力部２２２Ａにおいても、図２と同様に、画像Ａ及び入力領域Ｂを形成することができる。なお、入力部２２２の種類としては、静電容量式や抵抗被膜型に限らず、電磁誘導方式や表面弾性波方式等の他のタッチ式の入力素子を用いることができる。本実施形態では、図３（ａ）のタッチパネル２２を用いた例について、以下説明する。
【００２５】
図４は、使用者がタッチパネル２２へスライド操作により入力する際の操作装置２のフローチャート図である。図４は、第一表示領域Ａ１０（第一入力領域Ｂ１０）から第二表示領域Ａ３０（第二入力領域Ｂ３０）へスライド操作し、参照画像の表示切り換え等を行う場合のフローチャートである。
【００２６】
ステップＳ１０１で、ＣＰＵ２１１は、操作装置２の初期設定を行う。ＣＰＵ２１１は、記憶部２３を参照し、表示部２２１に定常的に表示する図形を選択し、表示コントローラ２１２によりその図形を表示部２２１に表示させる。表示される図形は、画面の大きさに対し比較的大きいものや、形状が変化しないもの或いはその変化量が少ない図形とすることができる。これにより、第一表示領域Ａ１０と第二表示領域Ａ３０の識別及び操作を容易とすることができる。本実施形態では、制御対象が給湯装置３であるため、表示部２２１には、給湯装置３の設定温度を表示する値や円環状のメータを示す画像を表示させることができる。
【００２７】
ステップＳ１０２で、ＣＰＵ２１１は、使用者の指Ｆがタッチパネル２２の第一入力領域Ｂ１０にタッチしたか判定する。指Ｆが第一入力領域Ｂ１０にタッチしたかは、ＣＰＵ２１１がタッチパネル２２の第一入力領域Ｂ１０に対する入力を、入力コントローラ２１３により検出することで判定される。指Ｆが第一入力領域Ｂ１０にタッチしたと判定されない場合（Ｓ１０２，Ｎ）、ＣＰＵ２１１は、ステップＳ１０２の処理を繰り返す。一方、指Ｆが第一入力領域Ｂ１０にタッチしたと判定された場合（Ｓ１０２，Ｙ）、ＣＰＵ２１１は、ステップＳ１０３の処理に進む。なお、ステップＳ１０２で、指Ｆが入力領域Ｂのうち第二入力領域Ｂ３０にタッチしたと判定された場合も、ＣＰＵ２１１は、ステップＳ１０２の処理を繰り返す。
【００２８】
ステップＳ１０３で、ＣＰＵ２１１は、使用者の指Ｆが第一入力領域Ｂ１０から離れたか判定する。指Ｆが第一入力領域Ｂ１０から離れたかは、ＣＰＵ２１１が第一入力領域Ｂ１０の入力を、入力コントローラ２１３により検出されなくなることで判定される。指Ｆが第一入力領域Ｂ１０から離れたと判定された場合（Ｓ１０３，Ｙ）、ＣＰＵ２１１は、ステップＳ１０２の処理に戻る。指Ｆが第一入力領域Ｂ１０から離れたと判定されない場合（Ｓ１０３，Ｎ）、ＣＰＵ２１１は、ステップＳ１０４の処理に進む。
【００２９】
ステップＳ１０４で、ＣＰＵ２１１は、第一入力領域Ｂ１０にタッチしている指Ｆが第二入力領域Ｂ３０に移動したか、入力コントローラ２１３により判定する。指Ｆが第二入力領域Ｂ３０に移動したと判定されない場合（Ｓ１０４，Ｎ）、ＣＰＵ２１１は、ステップＳ１０３の処理に戻る。指Ｆが第二入力領域Ｂ３０に移動したと判定された場合（Ｓ１０４，Ｙ）、ＣＰＵ２１１は、ステップＳ１０５の処理に進む。
【００３０】
ステップＳ１０５で、ＣＰＵ２１１は、記憶部２３を参照し、予め設定されているスライド操作の判定方法を取得する。ＣＰＵ２１１は、判定方法が第一判定方法である場合、ステップＳ１０６の処理に進み、判定方法が第二判定方法である場合、ステップＳ１０８の処理に進む。
【００３１】
ここで第一判定方法とは、スライド操作の完了の判定を、指Ｆが入力開始場所（第一入力領域Ｂ１０）と異なる特定の場所（第二入力領域Ｂ３０）で離れたことを、ＣＰＵ２１１が検出することにより行う方法である。第一判定方法では誤操作を低減させることができる。
【００３２】
また、第二入力方法とは、スライド操作の完了の判定を、指Ｆが入力開始場所（第一入力領域Ｂ１０）と異なる特定の場所（第二入力領域Ｂ３０）に移動したことを、ＣＰＵ２１１が検出することにより行う方法である。第二判定方法では素早い操作を行うことができる。
【００３３】
ステップＳ１０６で、ＣＰＵ２１１は、指Ｆが入力領域Ｂから離れたか判定する。指Ｆが入力領域Ｂから離れたと判定されない場合（Ｓ１０６，Ｎ）、ＣＰＵ２１１は、ステップＳ１０６の処理を繰り返す。指Ｆが入力領域Ｂから離れたと判定された場合（Ｓ１０６，Ｙ）、ＣＰＵ２１１は、ステップＳ１０７の処理に進む。なお、指Ｆが入力領域Ｂから離れたとする判定には、指Ｆを第二入力領域Ｂ３０へ移動させて第二入力領域Ｂ３０の位置で離した場合や、第二入力領域Ｂ３０へ移動させた後に第二入力領域Ｂ３０と異なる他の位置に移動させて離した場合が含まれる。
【００３４】
ステップＳ１０７で、ＣＰＵ２１１は、ステップＳ１０６において指Ｆの離れた位置が第二入力領域Ｂ３０であるか判定する。指Ｆの離れた位置は、例えば、所定のクロック周期で入力部２２２に対する入力を検出していた入力コントローラ２１３が、指Ｆを離したことにより、所定回数入力を検出しない場合に最後に検出された入力領域の位置とすることができる。指Ｆの離れた位置が第二入力領域Ｂ３０であると判定されない場合（Ｓ１０７，Ｎ）、ＣＰＵ２１１は、ステップＳ１０２の処理に戻る。一方、指Ｆの離れた位置が第二入力領域Ｂ３０であると判定された場合（Ｓ１０７，Ｙ）、ＣＰＵ２１１は、ステップＳ１０８の処理に進む。
【００３５】
ステップＳ１０８で、ＣＰＵ２１１は、表示部２２１の表示切換処理を出力処理として行う。ＣＰＵ２１１は、記憶部２３を参照して、参照画像を取得する。ＣＰＵ２１１は、取得した参照画像を、表示コントローラ２１２により表示部２２１に表示させる。
【００３６】
参照画像としては、例えば、操作装置２や給湯装置３の操作方法を説明するヘルプ画面とすることができる。また、参照画像は、操作装置２や給湯装置３の稼動状態等に関する告知情報や音楽、映画、ドラマ等の娯楽コンテンツとすることができる。参照画像は、動画又は静止画とすることができる。参照画像は、動画や静止画を複合表示させたり、複数種類のコンテンツを複合表示させてもよい。また、参照画像は、現在表示されている表示部２２１の画面全体を切り換えて表示させてもよいし、現在表示されている画面の一部に重畳させて表示させてもよい。
【００３７】
なお、元の画像表示への復帰は、参照画像の再生が終了したことにより戻る方法としてもよいし、入力部２２２上の予め定めた位置をタッチすることにより戻る方法としてもよい。また、参照画像とともに、別途元の画像表示へ戻るための領域判定画像を、ステップＳ１０２〜Ｓ１０７のスライド操作の始点となる第一表示領域Ａ１０や終点となる第二表示領域Ａ３０を示す画像として表示することができる。このとき入力部２２２は、第一表示領域Ａ１０に対応する第一入力領域Ｂ１０と、第二表示領域Ａ３０に対応する第二入力領域Ｂ３０とを有する。よって、図４のステップＳ１０２〜Ｓ１０７と同様のスライド操作をすることで、参照画像の表示を終了させることができる。ステップＳ１０８の後、ＣＰＵ２１１はステップＳ１０２の処理に戻る。
【００３８】
このように、ステップＳ１０２〜Ｓ１０８の処理では、第一入力領域Ｂ１０及び第二入力領域Ｂ３０を用いたスライド操作を行うことにより、参照画像への切り換え表示を行うことができる。
【００３９】
なお、本実施形態では、ステップＳ１０８の出力処理として、表示切換処理を行う例について示したが、プログラムの起動を行ったり、他の装置へ制御指示を送る処理としてもよい。
【００４０】
つぎに、タッチパネル２２から入力操作を行う場合の画像表示の例について説明する。図５（ａ）〜図５（ｄ）は、タッチパネル２２の画像表示の正面模式図であり、異なる表示画像毎に対応する入力方法の例を示している。
【００４１】
図５（ａ）は、図２の画像Ａと同様の画像１Ａを表示するタッチパネル２２を示す図である。画像１Ａは、略中央に熱交換部３２の設定温度の値を表示する第一表示領域１Ａ１０と、その周囲に配置される円環状のメータ１Ａ２０を含む。また、メータ１Ａ２０の外側の領域には、第二表示領域１Ａ３０が形成される。第二表示領域１Ａ３０には、画像が描画されていない。入力部２２２は、第一表示領域１Ａ１０の位置に重畳されるように配置される第一入力領域１Ｂ１０、及び、第二表示領域１Ａ３０の一部に重畳されるように配置される第二入力領域１Ｂ３０を有する。第二入力領域１Ｂ３０は、メータ１Ａ２０の右方に形成される。
【００４２】
画像１Ａの例では、使用者は、メータ１Ａ２０で区切られた第一表示領域１Ａ１０と第二表示領域１Ａ３０とを識別し、指Ｆを第一表示領域１Ａ１０にタッチさせて第二表示領域１Ａ３０へ移動させる操作を容易に行うことができる。これにより、図４のステップＳ１０２〜Ｓ１０７において、ＣＰＵ２１１は、第一入力領域１Ｂ１０の入力の検出と、第二入力領域１Ｂ３０への移動を検出し、ステップＳ１０８の出力処理のための操作として検出する。なお、第二入力領域１Ｂ３０は、メータ１Ａ２０の外側の全面領域に設けられる構成としてもよい。
【００４３】
図５（ｂ）は、画像２Ａを表示するタッチパネル２２を示す図である。図５（ｂ）のタッチパネル２２は、図５（ａ）と同様の画像を表示しているが、操作方向が異なる。画像２Ａは、略中央に熱交換部３２の設定温度の値を表示する第二表示領域２Ａ３０と、その周囲に配置される円環状のメータ２Ａ２０を含む。また、メータ２Ａ２０の外側の領域には、第一表示領域２Ａ１０が形成される。第一表示領域２Ａ１０には、画像が描画されていない。入力部２２２は、第一表示領域２Ａ１０の位置に重畳されているように配置される第一入力領域２Ｂ１０、及び、第二表示領域２Ａ３０の一部に重畳されるように配置される第二入力領域２Ｂ３０を有する。第一入力領域２Ｂ１０は、メータ２Ａ２０の右方に形成される。
【００４４】
これにより、図４のステップＳ１０２〜Ｓ１０７において、ＣＰＵ２１１は、第一入力領域２Ｂ１０の入力の検出と、第二入力領域２Ｂ３０への移動を検出し、ステップＳ１０８の出力処理のための操作として検出する。なお、第一入力領域２Ｂ１０は、メータ２Ａ２０の外側の全面領域に設けられる構成としてもよい。
【００４５】
図５（ｃ）は、画像４Ａを表示するタッチパネル２２を示す図である。画像３Ａは、星形図形３Ａ２０とＰｉｎＰ（Ｐｉｃｔｕｒｅ  ｉｎ  Ｐｉｃｔｕｒｅ）表示枠３Ａ４０を含む。星形図形３Ａ２０は、表示部２２１の左上方に配置され、星形の外形線に囲われた閉領域を有する。第一表示領域３Ａ１０は、この閉領域に形成される。第一表示領域３Ａ１０には、画像１Ａ，３Ａと同様に、熱交換部３２の設定温度の値を表示してもよい。ＰｉｎＰ表示枠３Ａ４０は、表示部２２１の右下方に配置され、内部にステップＳ１０８で呼び出された参照画像を表示する。また、星形図形３Ａ２０及びＰｉｎＰ表示枠３Ａ４０の外領域には、第二表示領域３Ａ３０が形成される。第二表示領域３Ａ３０には、画像が描画されていない。入力部２２２は、第一表示領域３Ａ１０の位置に重畳されるように配置される第一入力領域３Ｂ１０、及び、第二表示領域３Ａ３０の一部に重畳されるように配置される第二入力領域３Ｂ３０を有する。第二入力領域３Ｂ３０は、第一表示領域３Ａ１０の右方及びＰｉｎＰ表示枠３Ａ４０の上方に形成される。
【００４６】
画像３Ａの例では、図４のステップＳ１０８において、ＰｉｎＰ表示枠３Ａ４０に、参照画像を表示させることができる。なお、第二入力領域３Ｂ３０は、星形図形３Ａ２０及びＰｉｎＰ表示枠３Ａ４０の外側の全面領域に設けられる構成としてもよい。
【００４７】
図５（ｃ）のタッチパネル２２に示すように、第一表示領域４Ａ１０を星形図形３Ａ２０で囲われた閉領域に形成することができ、スライド操作によって画面を切り換える操作性や視認性を確保しつつ、自由な画像デザインを採用することができる。また、参照画像を画面の一部であるＰｉｎＰ表示枠３Ａ４０に表示させることで、設定温度や参照画像といった複数の情報を同時に表示させることができる。
【００４８】
図５（ｄ）は、画像４Ａを表示するタッチパネル２２の例について示す図である。画像４Ａは、温度表示領域４Ａ２０と棒状のメータ４Ａ４０とを含む。本図では、メータ４Ａ４０で仕切られた一側方側である左方の領域を第一表示領域４Ａ１０とし、他側方側である右方の領域を第二表示領域４Ａ３０としている。第一表示領域４Ａ１０及び第二表示領域４Ａ３０には、画像が描画されていない。
【００４９】
図４のステップＳ１０２〜Ｓ１０７において、ＣＰＵ２１１は、第一入力領域４Ｂ１０の入力の検出と、第二入力領域４Ｂ３０への移動を検出し、ステップＳ１０８の出力処理のための操作を検出する。
【００５０】
図５（ｄ）のタッチパネル２２の例では、第一表示領域４Ａ１０及び第二表示領域４Ａ３０をそれぞれメータ４Ａ４０の両側の広い領域に形成するため、操作性の良いタッチパネル２２を構成することができる。なお、メータ４Ａ４０の右方の領域に第一表示領域４Ａ１０を形成し、右方の領域に第二表示領域４Ａ３０を形成する構成としてもよい。
【００５１】
以上、本実施形態では、第一入力領域Ｂ１０に対する入力を検出し（Ｓ１０２）、入力の位置が第二入力領域Ｂ３０に移動したことを、予め定めた判定方法により検出すると（Ｓ１０４〜Ｓ１０７）、出力処理として画面切り換えを行う（Ｓ１０８）操作装置２について説明した。よって、タッチパネル２２の操作性を向上させた操作装置２及び給湯システム１を構成することができる。
【００５２】
また、図４のステップＳ１０５の判定方法を第一判定方法とした場合では（Ｓ１０５，第一判定方法）、ステップＳ１０８の画面切り換えまでに、指Ｆを第二入力領域まで移動させてから離すという操作を確実に行う必要があり、誤操作を効果的に防止することができる。
【００５３】
一方、判定方法を第二判定方法とした場合では（Ｓ１０５，第二判定方法）、画面切り換えを指示するための操作量が少ないため、画面切り換え操作を素早く行うことができる。
【００５４】
また、ステップＳ１０２〜Ｓ１０７の操作は、既存の操作画面の図形を利用して判定を行うことができるので、別画面への切り換え用に別途物理的なスイッチを設けたり、ボタン画像をタッチパネル２２上に表示させる必要が無い。
【００５５】
また、指Ｆを第一入力領域Ｂ１０，１Ｂ１０〜４Ｂ１０にタッチした後移動させずに離した場合、及び、指Ｆを最初に第一入力領域Ｂ１０，１Ｂ１０〜４Ｂ１０に指Ｆを触れない場合は、画面切り換え指示であると判定しない。そのため、意図せず画面に触れてしまった場合でも、誤って画面が切り換わる誤操作を低減させることができる。
【００５６】
また、上述のように誤操作を低減できるため、第一表示領域及び第二表示領域を分割する画像は、表示部２２１の表示面の中でも大きく表示しなくてもよく、本実施形態に示した画像例と異なる任意の図形を利用することができる。このため、操作画面のデザインの自由度を向上させ、使用者の識別しやすい又は押し易い図形を任意の領域分割画像として適用することができる。
【００５７】
なお、本実施形態のタッチパネル２２，２２Ａは、二次元ドットマトリクスによる検出機構として、固定セグメントパターンを用いたタッチパネル２２，２２Ａと同様の領域に入力領域Ｂ，１Ｂ〜４Ｂを構成してもよい。
【００５８】
また、本実施形態では、給湯装置３の操作装置２として給湯システム１を例に説明したが、操作画面上に画面を二つの領域に分割する図形を配置する表示方法であれば、他の用途の装置にも適用することができる。例えば、給湯装置３の代わりにパチンコ等の遊戯機、エアコンや扇風機等の空調機等、その他の機器とすることができる。表示部２２１のメータＡ２０としては、音楽の設定音量としたり、空調機の設定温度や風速とすることができる。
【００５９】
また、タッチパネル２２，２２Ａには、使用者が第一表示領域と第二表示領域とを認識できるように画像が形成されていればよく、各領域の判定画像は、固定的な表示の他、点滅していたり、動画像としてもよい。
【００６０】
また、入力部２２２に対する入力指示は、入力部２２２の種類に応じて、使用者の指Ｆに限らずスタイラスペンとしてもよい。また、入力部２２２は、タッチ操作に限らず、マウスや十字キーによるカーソル等のポインティング操作により行ってもよい。さらに、操作装置２は、スマートグラス等のウェアラブルディスプレイとしてもよく、この場合、表示部２２１として眼鏡型のディスプレイを用い、入力部２２２としてアイトラッキングカメラ等で目の視線方向や動作の判定を行い、入力を検出する構成としてもよい。また、入力部２２２として、手の動きをモーションセンサ等により検出させ、眼鏡型のディスプレイに表示された画像を指の動きで操作する構成としてもよい。
【００６１】
また、本実施形態では、第一表示領域Ａ１０、第二表示領域Ａ３０、第一入力領域Ｂ１０及び第二入力領域Ｂ３０を、各々対応して設け、第一入力領域Ｂ１０に対する入力を第二入力領域Ｂ３０に移動させることにより、一連のスライド操作が認識される構成とした。判定画像で区分される第一表示領域及び第二表示領域と、第一表示領域に対応する第一入力領域及び前記第二表示領域に対応する第二入力領域は、各々複数設けることができる。
【００６２】
以上、本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。実施形態やその変形は、発明の範囲や要旨に含まれるとともに特許請求の範囲に記載された発明とその均等の範囲に含まれる。
【符号の説明】
【００６３】
１        給湯システム                ２        操作装置
３        給湯装置                    ２１      制御部
２２      タッチパネル                ２２Ａ    タッチパネル
２３      記憶部                      ２４      通信インタフェース
３１      コントローラ                ３２      熱交換部
２１１    ＣＰＵ                      ２１２    表示コントローラ
２１３    入力コントローラ            ２２１    表示部
２２１Ａ  表示部                      ２２２    入力部
２２２Ａ  入力部
１Ａ      画像                        １Ａ１０  第一表示領域
１Ａ２０  メータ                      １Ａ３０  第二表示領域
１Ｂ      入力領域                    １Ｂ１０  第一入力領域
１Ｂ３０  第二入力領域
２Ａ      画像                        ２Ａ１０  第一表示領域
２Ａ２０  メータ                      ２Ａ３０  第二表示領域
２Ｂ      入力領域                    ２Ｂ１０  第一入力領域
２Ｂ３０  第二入力領域
３Ａ      画像                        ３Ａ１０  第一表示領域
３Ａ２０  星形図形                    ３Ａ３０  第二表示領域
３Ａ４０  ＰｉｎＰ表示枠              ３Ｂ      入力領域
３Ｂ１０  第一入力領域                ３Ｂ３０  第二入力領域
４Ａ      画像                        ４Ａ１０  第一表示領域
４Ａ２０  温度表示領域                ４Ａ３０  第二表示領域
４Ａ４０  メータ                      ４Ｂ      入力領域
４Ｂ１０  第一入力領域                ４Ｂ３０  第二入力領域
Ａ        画像                        Ａ１０    第一表示領域
Ａ２０    メータ                      Ａ２１    点灯領域
Ａ３０    第二表示領域                Ｂ        入力領域
Ｂ１０    第一入力領域                Ｂ３０    第二入力領域
Ｆ        指
【図１】
2018173708.tif 000003
【図２】
2018173708.tif 000004
【図３】
2018173708.tif 000005
【図４】
2018173708.tif 000006
【図５】
2018173708.tif 000007